(57)【要約】      （修正有）【課題】学校などで多目的に色々な競技に使用する場合、使用するライン引きのライン粉の出口で競技ごとに線幅を変化させる平板式線幅調整機構を提供する。【解決手段】ライン引きにおける従来の線幅調整機構である粉出し口の幅を調整する板を、曲線から平板にし、なお且つスライドさせる板が衝撃に耐えうるある程度の厚みを持った金属の平板にすることにより、外部からの衝撃にも耐え摩擦抵抗も少なくなり動きはスムーズになり、耐久性も向上する。また動かす平板は、一枚板だけでなく競技ごとの幅に分割された構造になっており、板の組み合わせであらゆる屋外スポーツ競技の線幅調整が一台のライン引きで確実に行える。【選択図】図−７
0003172164.tif 000002
【実用新案登録請求の範囲】
【請求項１】
（１）グランドに白線を引くライン引きの線幅調整機構を、従来から採用されている曲面をスライドさせる構造でなく、スライドさせる板を線幅ごとに決まった分割された平板状の構造にし、直線的な動きで粉の穴の出口の開け閉めを行なう線幅調整機構。
【考案の詳細な説明】
【技術分野】
【０００１】グランドで行われる競技においてフィールドを規定する際のライン（白線）は、競技ごとにルールでその線幅が決まっている。白線を引くライン引きは、それぞれの競技の専用のライン引きであれば線幅調整機構は必要ないが、学校などで多目的に色々な競技に使用する場合は、使用するライン引きのライン粉の出口で競技ごとに線幅を固定させる機構が必要になる。
【背景技術】
【０００２】ライン引きのライン粉の出口は、内部の回転ブラシの形状に合わせるため通常球面状になっているが、今までのライン引きの線幅を決める機構（板）は、この球面状の部分と本体部分の平たい部分を動かすために薄い鋼板やゴムの板を使い、この板の予め線幅に切った開口部をライン粉の出口に合わせ動かすことにより線幅を調整している。この方式は、薄い鋼板などを球面状に動かすため、摩擦抵抗が多く滑りが悪いのと、使用中誤って板部分をぶつけて板部分を変形させてしまうと動きが極端に悪くなるという欠点を持っている。従来のライン引きの最大の欠点が、粉詰まりとこの線幅調整機構の不具合にあり、粉詰まりに関しては、内部点検が出来る機構で解決できるが、線幅調整機構は未だに全く改善されていないのが現状である。このような事情から、多少乱暴な扱いをしても動きを阻害されることがなく、また競技ごとに簡単に線幅調整ができるライン引きの要望は強い。
【考案の概要】
【考案が解決しようとする課題】従来のライン引きの最大の欠点である外部からの衝撃などで簡単に変形してしまう線幅調整機構を、球面状をスライドさせる方式から、平板を使って平面状をスライドさせることにより、従来製品の欠点である滑りの悪さと、外部からの圧力などによる変形に対して強い線幅調整機構可能になり、より使いやすいライン引きが可能になる。
【課題を解決するための手段】ライン引き本体のライン粉出し口幅は、予め全てのグランドで行う競技の中で最大の幅が必要な線幅を持たせ、行う競技ごとに必要な線幅で粉だし口を塞ぐことにより競技に必要な線幅が得られる。例えば今グランドで白線が必要な競技のうちサッカーが最大幅１２ｃｍを必要としているので、ライン引き本体側の粉だし口を１２ｃｍ幅にしておき、粉だし口を線幅調整機構がもつ競技ごとに必要な幅の板で塞ぐことにより、必要な競技ごとの線幅が得られる。
【考案の効果】図−４−１の模式図のように１２ｃｍ幅を持っているライン引きの粉だし口は、口をそのまま塞がない状態で線を引けば、１２ｃｍ幅の白線が引ける。予めその１２ｃｍ幅の口を図−５のように全て塞ぐように３枚の板で覆い、それぞれの板を単独で、又は組み合わせて引き出すことによって任意の線幅で白線を引くことが出来る。具体的には１２ｃｍの粉だし口を覆っている平板の幅は５ｃｍ、２，６ｃｍ、４，４ｃｍの幅を持つ板の組み合わせで構成し、３枚の板が全て粉だし口を覆っている場合は粉が出ない状態である（図−５）。この状態から５ｃｍ幅の板を引き出しｍ粉だし口を開放させることにより５ｃｍ幅の線が引ける（図−６）。これは陸上競技用の線幅になる。さらに２，６ｃｍの板を引き出すと、５ｃｍ＋２，６ｃｍで、合計７，６ｃｍの線幅になる（図−７）。これは野球競技における線幅である。さらに４，４ｃｍの幅の板を引き出すことにより、５ｃｍ＋２，６ｃｍ＋４、４ｃｍで合計１２ｃｍの線幅になる（図−８）。これはサッカー競技の線幅である。その他単独に２，６ｃｍの線幅、４，４ｃｍの線幅も可能になる。更に５ｃｍ＋４，４ｃｍ、つまり９、４ｃｍの線幅の線を引くことも可能である。このように平板を引き出すだけで、グランドに必要な線幅の白線を簡単に引く事ができる。
【図面の簡単な説明】
【図−１】粉出し停止状態の断面図。（模式図）
【図−２】粉出し状態の断面図。（模式図）
【図−３】粉出し停止状態の底面図。（模式図）
【図−４−１】粉出し状態の底面図。（全開）（模式図）
【図−４−２】粉出し状態の底面図。（半開）（模式図）
【図−５】分割板を組み合わせた場合の粉出し停止状態図。（模式図）
【図−６】５ｃｍ幅陸上競技の線幅図。（模式図）
【図−７】７，６ｃｍ幅野球競技の線幅図。（模式図）
【図−８】１２ｃｍ幅サッカー競技の線幅図。（模式図）
【図−９】本ライン引き全体図
【図−１０−１】本ライン引き線幅調整機構位置図
【図−１０−２】本ライン引き線幅調整機構位置図
【図−１１−１】粉停止状態（本体底面図）
【図−１１−２】粉停止状態（本体上面図）
【図−１２−１】粉出し状態（１２ｃｍ  本体底面図）
【図−１２−２】粉出し状態（１２ｃｍ  本体上面図）
【考案を実施するための形態】
以下添付図面に従って実施例を説明する。まず通常ライン引きの粉出しは、本体に貯めてあるライン粉を車輪と同時に回転するブラシ部分でライン粉を本体（図−９）の底部に設けられた粉出し口から排出させる（図−１０−１、図−１０−２）。この時粉排出口が閉まっていれば内部のブラシが回転してもライン粉は排出されず。（図−１、図−３、図−５、図−１１−１、図−１１−２）次にブラシが回転している時に出口が開いていると、そのままライン粉は地面に落ち白線が引かれる。（図−２、図−４−１、図−４−２、図−６、図−７、図−８、図−１２−１、図−１２−２）この時排出口の幅を規定の線幅にしておけば（競技ごとに規定の線幅がある）規定の線幅で白線を引くことが可能になる。（図−６、図−７、図−８）つまりこの粉出し停止板を一枚板にすると固定の１２ｃｍの線幅になるが（図−４）、板を分割しておくと（図−６、図−７、図−８）、板の組みわせでその線幅を決めることが可能になる。
一般的に陸上が５ｃｍ幅と規定されているので例えば中心に来る板の幅を５ｃｍとし、両脇の板の幅を２．６ｃｍ、４．４ｃｍとすることで野球やサッカー競技にも対応可能な線幅調整機構が出来る。勿論板の置く順番として端から順に５ｃｍ、２．６ｃｍ、４．４ｃｍという置き方でも良い。
【実施例】一般的に一番多く使われて２輪のライン引きは通常５ｃｍ幅の線で白線を引くことが出来る。この線幅は陸上競技を行うときの線幅でもあるが、見た目の線幅とライン粉の使用量が最も適切な線幅と言える。グランドで行う陸上以外の野球やサッカー等の各種競技においても通常の練習時は、陸上と同じ５ｃｍ幅の線幅でも問題ないが、やはり公式競技時にはルールブックに定められた線幅で線を引かなければならない。従ってライン引きにおける線幅調整機構は必要不可欠な機能である。今までのライン引きでは、この線幅調整を行うには複雑な操作を行って線幅を決めるか、線幅の異なるライン引きを使用しなければならなかったが、本機構を持つライン引きは一台で全ての競技に対応出来るのを最大の特徴としている。
また線幅調整機構の板の引き出し量を変えることにより（図−４−１、図−４−２）粉出し口の口を狭くできるので、練習時などではライン粉の排出量を規制し、ライン粉の経済的な使い方ができる。つまり公式戦時はしっかりとした白線を引き（図−４−１）、練習時や学校の授業時等は薄く線を引き（図−４−２）、また線幅を狭くすることで粉の経済的な使い方が可能になる。（ＥＣＯ仕様）
【産業上の利用可能性】
【符号の説明】１．ライン引き本体の断面
２．車輪と同期して回る粉出しブラシ
３．ライン引き本体に入れられた石灰粉
４．ライン引き底部にある粉出し口
５．粉出し停止板
６．ライン引き本体底部
【図−１】
0003172164.tif 000003
【図−２】
0003172164.tif 000004
【図−３】
0003172164.tif 000005
【図−４−１】
0003172164.tif 000006
【図−４−２】
0003172164.tif 000007
【図−５】
0003172164.tif 000008
【図−６】
0003172164.tif 000009
【図−７】
0003172164.tif 000010
【図−８】
0003172164.tif 000011
【図−９】
0003172164.tif 000012
【図−１０−１】
0003172164.tif 000013
【図−１０−２】
0003172164.tif 000014
【図−１１−１】
0003172164.tif 000015
【図−１１−２】
0003172164.tif 000016
【図−１２−１】
0003172164.tif 000017
【図−１２−２】
0003172164.tif 000018